(57)【特許請求の範囲】
【請求項１】
矩形の可撓性平板を僅かにアーチ形状に湾曲させた本体板面に、その内径面の両側縦方向に一対の補強桟を固着し、その両補強桟間を伸縮自在竿で連結し、本体板面のアーチ形状の湾曲度を自在に調節出来ることを特徴とする灌漑用水路堰板
【請求項２】
伸縮自在竿に代えて伸縮を行う機構がベルト方式であることを特徴とする請求項１に記載の灌漑用水路堰板
【発明の詳細な説明】
【技術分野】
【０００１】  本発明は、灌漑用水路の堰板に関するものであり、特に農業用水路など水路の幅がそれぞれ違う場合に、堰板の幅寸法を調節して水路幅に適用するようにしたものである。
【背景技術】
【０００２】田畑への水張りのために水路の水流を堰き止める原始的な方法として、角落としの技法による水路の幅に切断した木材板を複数枚縦に重ねて用いるか、コンポジットパネルを水路の幅形状に形成し水路に施した溝に落とし込む方式が多用されている。
しかし、この方式は簡便ではあるが寸法精度や固い材質のため水路との密着が悪く逃げ水が多い、そこで水封のためにビニルや土を用いるが安定的でなく作業を頻繁に行う必要があり非常に不便である。【０００３】近年、水流の堰き止め作業簡素化のための方式として、天地解放の中空構造の両面に複数個の流水孔を設けたゲートを予め水路に固定し、このゲート内部に遮水板を落とし込む方式が提案されている。（特許文献１参照）
しかし、必要な水路毎に本案ゲートを固定する必要から経済的とは言い難い。【０００４】また、水路の上辺に回転支持用のパイプを固定し、堰板を連結保持具によって堰板を上流側に向けて取り付け水流を堰き止め、反回転させることによって水路水流を復元させる方式が提案されている。（特許文献２参照）
しかし、本方式も必要水路毎に回転支持用のパイプと堰板を固定する必要があり、かつ水流の上流からの水圧を制して堰板を回転させるには非力な女性等が操作するには無理がある。【０００５】また、水路に予め堰板落とし込みの案内溝を設け、上部には回転させるための支持突起と下部には回転を作動させるチェーンを取り付け、堰板の垂直引き上げと回転を複合させた水路水流の制御方法が提案されている。（特許文献３参照）
しかし、本方式も水路の幅毎に堰板の用意が必要など効率的でない。【０００６】
【特許文献１】  公開実用新案昭５９−３８５３５号公報
【特許文献２】  公開実用新案昭６１−４０４２６号公報
【特許文献３】  公開特許平１１−１８１７４９号公報
【発明の開示】
【発明が解決しようとする課題】
【０００７】このような現状を顧みて、複数の田畑を所有し稲作を行うとする農家が水路幅の異なる水路より水田用の水を確保するには、複数の堰板を用意する必要があり効率的ではない。
また、先願に見られるように予め水路に堰板を固定もしくは堰板を脱着容易に行うための係止材を係止する方法が提案されているが、本来水路には突起物等を設けることによって水流に変化をもたらし、異物の係留等により水路からの溢流等が発生する不具合が想定され、適切な装置とは言い難い。
そこで、本発明者は本発明の灌漑用水路堰板を用いて多数の水路の水流を堰き止められる堰板を提案するものである。
【課題を解決する手段】
【０００８】本発明の請求項１に係る灌漑用水路堰板は、可撓性の矩形状の本体板面を僅かにアーチ型に湾曲させ、その内面側に湾曲度を自在に調節するための伸縮自在竿を設ける構造を提案するものである。
【０００９】なお、請求項２に係る灌漑用水路堰板は伸縮自在竿に代わって本体板面のアーチ型湾曲度の調節をベルト方式で簡易に行おうとするものであり、製作コストに優れ実用的でもある。
【発明の効果】
【００１０】本発明の灌漑用水路堰板は、異なる水路の幅に対し伸縮自在竿を調節することによって最適な幅寸法の堰板を現地で調達することができ、目的とする水路の水流を容易に堰き止めることができるのである。更に、アーチ形状のため水流の水圧でアーチ形湾曲度を広げようとする力が働くことで、堰板の両端部と水路側壁との密接度を一段と強力にする効果もある。
なお、本発明の灌漑用水路堰板の材質を樹脂等で製作すると軽量に仕上げることが出来、非力な女性や高齢者でも容易に持ち運ぶことが出来る。
【発明を実施するための最良の形態】
【００１１】本発明の灌漑用水路堰板を図１〜図２、図４〜図５を用いて説明する。
矩形状の可撓性平板を僅かにアーチ形状に湾曲させた本体板面１、その内径面の両側縦方向に一対の補強桟４を固着し、その両補強桟間を右ネジ及び左ネジを一体にした雄ねじ２とそれに接合相応する雌ネジ３を接合した伸縮自在竿で連結し、矩形状の可撓性平板の両端部には水封のための弾性体５及び下部には同じく水封のための弾性体６を係止させたことで一体とした灌漑用水路堰板を完成させることができる。【００１２】本発明の灌漑用水路堰板の水封用に用いる弾性体５又は６は、本体板面１に係止する方法として接着やリベット止めがあるが、その係止方法は堅固に係止できれば本発明の方法に制約されない。
また、その材質についてはゴムやスポンジに類する物が適しているが、水封が適宜に行える材質であればよく、本発明に記載した材質に制約を受けない。【００１３】本発明の灌漑用水路堰板の使用に当たっては、目的とする水路の幅に適合するように伸縮自在竿の雄ネジ２の回転部を適宜回転させて、灌漑用水路の側壁１０に設けられた灌漑用水路の堰板を差し込む縦溝１２に支障なく落とし込める幅に調整した後、水路に挿入し、水流の堰き止めを行い水路の水位が上昇することにより田畑に水を導入するための水口１３から水張りを行うことができる。【００１４】なお、本発明の灌漑用水路堰板の両側端部は、アーチ形状の湾曲度によって本体板面１の端部と水路側壁面との接触角度が変化するため、両側面を適当な幅で適当な角度に曲げておくことが肝要である。【００１５】また、本発明の灌漑用水路堰板は、その基本をアーチ形状に湾曲させてあるため、水流による水圧は本体板面１の全面に分散されるため、薄くて柔軟な樹脂材料で製作することができる利点も有している。しかし、用いる材質に関しては曲げ応力を有し可撓性を有する材質であれば本発明に記載した以外の材質材を用いることは一向に差し支えない。【００１６】次に、請求項２について、図３を用いて説明する。
矩形状の可撓性平板を僅かにアーチ形状に湾曲させた本体板面１、その内径面の両側縦方向に一対の補強桟４を固着し、その補強桟にはベルト８を係止するための握り手７を形成する。
即ち、請求項１の雄ネジ２及び雌ネジ３を用いた伸縮自在竿に代わって、トライグライド９を調節機構とするベルト８の長さ調節による、本体板面１のアーチ形状湾曲度を自在に調節するものである。【００１７】本発明の請求項２に記載の灌漑用水路堰板においては、伸縮自在用のベルト機能を用いなくても、本体板面の左右に一対で設けられた補強桟４の握り手７を両手で引き寄せること等で水路幅に調整できる利点も有している。【００１８】また、本発明の潅漑用水路堰板の本体板面１の内径面に設ける請求項１に記載の伸縮自在竿又は請求２に記載の伸縮自在のベルト８は、補強桟４の上下２カ所に設けることとしているが、概補強桟４の略中央部１カ所に設けることでも水路の水流を堰き止める機能を十分発揮することができる。
しかしながら、本発明のように上下２カ所に設けることで水路の幅が上下で異なる場合（水路の側壁に傾斜角又はテーパー状となっている他水路）に、本発明の灌漑用水路堰板の上下の幅を任意に調節できることから、該水路幅に本発明の灌漑用水路堰板の両端部を水路側壁１０に灌漑用水路の堰板を差し込む縦溝１２にフィットさせ漏水を最小限にとどめることができるのである。
【産業上の利用可能性】
【００１９】本発明に係る灌漑用水路堰板は、工業的に量産・商品化が可能であり、日本全国のあらゆる田畑に水を導入するための水路の堰き止めに活用することができる。
勿論、本発明の灌漑用水路堰板を利用するには水路の両側面に、本発明の灌漑用水路堰板が挿入できる縦溝が施されていることが条件となる。
【図面の簡単な説明】
【００２０】
【図１】本体板面及び伸縮機能部がネジ式の平面図
【図２】本体板面及び伸縮機能部がネジ式の背面図
【図３】本体板面及び伸縮機能部がベルト式の背面から見た立体図
【図４】堰板を灌漑用水路に設置した状態の平面図
【図５】堰板を灌漑用水路に設置した状態の背面図及び水路の断面図
【符号の説明】
【００２１】  １  本体板面
２  雄ネジ
３  雌ネジ
４  補強桟
５  弾性体（側面）
６  弾性体（下部）
７  握り手
８  ベルト
９  トライクライド（長さの調節とストッパー機能）
１０  灌漑用水路の側壁
１１  灌漑用水路の底面
１２  灌漑用水路の堰板を差し込む縦溝
１３  田畑に水を導入するための水口
【図１】
0004784885.tif 000002
【図２】
0004784885.tif 000003
【図３】
0004784885.tif 000004
【図４】
0004784885.tif 000005
【図５】
0004784885.tif 000006